(57)【要約】【課題】モバイル端末をコンテンツ再生端末として使用し、リアルタイムに適切なコンテンツを表示可能とする。【解決手段】サイネージ装置の配信条件入力手段は、ユーザからの配信条件を入力する。コンテンツ記憶手段は、コンテンツデータを格納する。スケジュールデータ記憶手段は、コンテンツの再生スケジュールを記憶する。コンテンツ配信制御手段は、スケジュールデータベースに記憶されたスケジュールにしたがってコンテンツをコンテンツ再生端末に送信する。データ管理装置の受信手段は、配信条件入力手段に入力された配信条件を受信する。外部状態情報記憶手段は、外部状態取得装置からの情報を格納する。配信許可情報通知手段は、受信した配信条件と格納された外部状態情報とが一致する場合に、コンテンツの配信許可情報をコンテンツ配信制御手段に通知する。【選択図】図４
2013186791.tif 000002
【特許請求の範囲】
【請求項１】
サイネージ装置とデータ管理装置と前記サイネージ装置から配信されるコンテンツを再生するコンテンツ再生端末と外部状態取得装置とからなるサイネージ再生システムであって、
前記サイネージ装置が、
ユーザからの配信条件を入力する配信条件入力手段と、
コンテンツデータを格納するコンテンツ記憶手段と、
前記コンテンツの再生スケジュールを記憶するスケジュールデータ記憶手段と、
前記スケジュールデータベースに記憶されたスケジュールにしたがってコンテンツを前記コンテンツ再生端末に送信するコンテンツ配信制御手段と、
を備え、
前記データ管理装置が、
前記配信条件入力手段に入力された配信条件を受信する受信手段と、
前記外部状態取得装置からの情報を格納する外部状態情報記憶手段と、
前記受信した配信条件と該格納された外部状態情報とが一致する場合に、コンテンツの配信許可情報を前記コンテンツ配信制御手段に通知する配信許可情報通知手段と、
を備えたことを特徴とするサイネージ再生システム。
【請求項２】
前記外部状態取得装置が、少なくとも、天気情報を取得することを特徴とする請求項１に記載のサイネージ再生システム。
【請求項３】
前記外部状態取得装置が、照度センサ、人感センサ等のセンサであることを特徴とする請求項１または請求項２に記載のサイネージ再生システム。
【請求項４】
前記コンテンツ再生端末が携帯端末であることを特徴とする請求項１から請求項３に記載のサイネージ再生システム。
【請求項５】
サイネージ装置とデータ管理装置と前記サイネージ装置から配信されるコンテンツを再生するコンテンツ再生端末とからなるサイネージ再生システムであって、
前記サイネージ装置が、
ユーザからの配信条件を入力する配信条件入力手段と、
コンテンツデータを格納するコンテンツ記憶手段と、
前記コンテンツの再生スケジュールを記憶するスケジュールデータ記憶手段と、
前記スケジュールデータベースに記憶されたスケジュールにしたがってコンテンツを前記コンテンツ再生端末に送信するコンテンツ配信制御手段と、
を備え、
前記コンテンツ再生端末が、撮像手段を備え、
前記データ管理装置が、
前記配信条件入力手段に入力された配信条件を受信する受信手段と、
前記撮像手段からの画像データを格納する画像データ記憶手段と、
前記受信した配信条件と該格納された画像データとが一致する場合に、コンテンツの配信許可情報を前記コンテンツ配信制御手段に通知する配信許可情報通知手段と、
を備えたことを特徴とするサイネージ再生システム。
【請求項６】
サイネージ装置とデータ管理装置と前記サイネージ装置から配信されるコンテンツを再生するコンテンツ再生端末と該コンテンツ再生端末の近傍に設置された撮像装置とからなるサイネージ再生システムであって、
前記サイネージ装置が、
ユーザからの配信条件を入力する配信条件入力手段と、
コンテンツデータを格納するコンテンツ記憶手段と、
前記コンテンツの再生スケジュールを記憶するスケジュールデータ記憶手段と、
前記スケジュールデータベースに記憶されたスケジュールにしたがってコンテンツを前記コンテンツ再生端末に送信するコンテンツ配信制御手段と、
を備え、
前記データ管理装置が、
前記配信条件入力手段に入力された配信条件を受信する受信手段と、
前記撮像装置からの画像データを格納する画像データ記憶手段と、
前記受信した配信条件と該格納された画像データとが一致する場合に、コンテンツの配信許可情報を前記コンテンツ配信制御手段に通知する配信許可情報通知手段と、
を備えたことを特徴とするサイネージ再生システム。
【請求項７】
前記データ管理装置が、前記画像データ内の人物の性別、年代等のプロファイルを検出する画像分析手段を備えたことを特徴とする請求項５または請求項６に記載のサイネージ再生システム。
【請求項８】
前記画像分析手段が、さらに、ランドマークを検出することを特徴とする請求項７に記載のサイネージ再生システム。
【請求項９】
サイネージ装置とデータ管理装置と前記サイネージ装置から配信されるコンテンツを再生するコンテンツ再生端末と外部状態取得装置と効果測定装置とからなるサイネージ再生システムであって、
前記サイネージ装置が、
ユーザからの配信条件を入力する配信条件入力手段と、
コンテンツデータを格納するコンテンツ記憶手段と、
前記コンテンツの再生スケジュールを記憶するスケジュールデータ記憶手段と、
前記効果測定装置の測定結果に基づいて、最適なコンテンツを抽出するコンテンツ抽出手段と、
該抽出されたコンテンツを前記スケジュールデータベースに記憶されたスケジュールにしたがって前記コンテンツ再生端末に送信するコンテンツ配信制御手段と、
を備え、
前記データ管理装置が、
前記配信条件入力手段に入力された配信条件を受信する受信手段と、
前記外部状態取得装置からの情報を格納する外部状態情報記憶手段と、
前記受信した配信条件と該格納された外部状態情報とが一致する場合に、コンテンツの配信許可情報を前記コンテンツ配信制御手段に通知する配信許可情報通知手段と、
を備えたことを特徴とするサイネージ再生システム。
【請求項１０】
前記効果測定装置が、ＰＯＳシステムの情報に基づいて、効果を測定することを特徴とする請求項９に記載のサイネージ再生システム。
【請求項１１】
サイネージ装置とデータ管理装置と前記サイネージ装置から配信されるコンテンツを再生するコンテンツ再生端末と外部状態取得装置とからなるサイネージ再生システムにおけるサイネージ再生方法であって、
前記サイネージ装置が、ユーザからの配信条件を入力する第１のステップと、
前記データ管理装置が、入力された配信条件を受信する第２のステップと、
前記データ管理装置が、前記受信した配信条件と外部状態情報とが一致する場合に、コンテンツの配信許可情報を前記サイネージ装置に通知する第３のステップと、
前記サイネージ装置が、記憶されたスケジュールにしたがってコンテンツを前記コンテンツ再生端末に送信する第４のステップと、
を備えたことを特徴とするサイネージ再生方法。
【請求項１２】
サイネージ装置とデータ管理装置と前記サイネージ装置から配信されるコンテンツを再生するコンテンツ再生端末と該コンテンツ再生端末の近傍に設置された撮像装置とからなるサイネージ再生システムにおけるサイネージ再生方法であって、
前記サイネージ装置が、ユーザからの配信条件を入力する第１のステップと、
前記データ管理装置が、前記入力された配信条件を受信する第２のステップと、
前記データ管理装置が、前記受信した配信条件と前記コンテンツ再生端末の近傍を撮影した画像データとが一致する場合に、コンテンツの配信許可情報を前記サイネージ装置に通知する第３のステップと、
前記サイネージ装置が、記憶されたスケジュールにしたがってコンテンツを前記コンテンツ再生端末に送信する第４のステップと、
を備えたことを特徴とするサイネージ再生方法。
【請求項１３】
サイネージ装置とデータ管理装置と前記サイネージ装置から配信されるコンテンツを再生するコンテンツ再生端末と外部状態取得装置と効果測定装置とからなるサイネージ再生システムにおけるサイネージ再生方法であって、
前記サイネージ装置が、ユーザからの配信条件を入力する第１のステップと、
前記データ管理装置が、入力された配信条件を受信する第２のステップと、
前記サイネージ装置が、前記効果測定装置の測定結果に基づいて、最適なコンテンツを抽出する第３のステップと、
前記データ管理装置が、前記受信した配信条件と外部状態情報とが一致する場合に、コンテンツの配信許可情報を前記サイネージ装置に通知する第４のステップと、
前記サイネージ装置が、記憶されたスケジュールにしたがってコンテンツを前記コンテンツ再生端末に送信する第５のステップと、
を備えたことを特徴とするサイネージ再生方法。
【請求項１４】
サイネージ装置とデータ管理装置と前記サイネージ装置から配信されるコンテンツを再生するコンテンツ再生端末と外部状態取得装置とからなるサイネージ再生システムにおけるサイネージ再生方法をコンピュータに実行させるためのプログラムであって、
前記サイネージ装置が、ユーザからの配信条件を入力する第１のステップと、
前記データ管理装置が、入力された配信条件を受信する第２のステップと、
前記データ管理装置が、前記受信した配信条件と外部状態情報とが一致する場合に、コンテンツの配信許可情報を前記サイネージ装置に通知する第３のステップと、
前記サイネージ装置が、記憶されたスケジュールにしたがってコンテンツを前記コンテンツ再生端末に送信する第４のステップと、
をコンピュータに実行させるためのプログラム。
【請求項１５】
サイネージ装置とデータ管理装置と前記サイネージ装置から配信されるコンテンツを再生するコンテンツ再生端末と該コンテンツ再生端末の近傍に設置された撮像装置とからなるサイネージ再生システムにおけるサイネージ再生方法をコンピュータに実行させるためのプログラムであって、
前記サイネージ装置が、ユーザからの配信条件を入力する第１のステップと、
前記データ管理装置が、前記入力された配信条件を受信する第２のステップと、
前記データ管理装置が、前記受信した配信条件と前記コンテンツ再生端末の近傍を撮影した画像データとが一致する場合に、コンテンツの配信許可情報を前記サイネージ装置に通知する第３のステップと、
前記サイネージ装置が、記憶されたスケジュールにしたがってコンテンツを前記コンテンツ再生端末に送信する第４のステップと、
をコンピュータに実行させるためのプログラム。
【請求項１６】
サイネージ装置とデータ管理装置と前記サイネージ装置から配信されるコンテンツを再生するコンテンツ再生端末と外部状態取得装置と効果測定装置とからなるサイネージ再生システムにおけるサイネージ再生方法をコンピュータに実行させるためのプログラムであって、
前記サイネージ装置が、ユーザからの配信条件を入力する第１のステップと、
前記データ管理装置が、入力された配信条件を受信する第２のステップと、
前記サイネージ装置が、前記効果測定装置の測定結果に基づいて、最適なコンテンツを抽出する第３のステップと、
前記データ管理装置が、前記受信した配信条件と外部状態情報とが一致する場合に、コンテンツの配信許可情報を前記サイネージ装置に通知する第４のステップと、
前記サイネージ装置が、記憶されたスケジュールにしたがってコンテンツを前記コンテンツ再生端末に送信する第５のステップと、
をコンピュータに実行させるためのプログラム。
【発明の詳細な説明】
【技術分野】
【０００１】
本発明は、デジタルサイネージシステムにおけるサイネージ再生システム、サイネージ再生方法およびプログラムに関する。
【背景技術】
【０００２】
近年、商業施設に設置されるディスプレイにコンテンツを配信・再生するデジタルサイネージシステムが普及している。店舗側としては、人々の購買行動につながるコンテンツを配信・再生したいとの要望があり、センサによる配信コンテンツ制御手法が提案されている（例えば、特許文献１参照。）。
【０００３】
特許文献１では、ディスプレイ設置場所における人流に応じて、リーセンシー効果の高い適切なコンテンツを表示できるようにすることを目的とし、方向別の出力コンテンツ候補を管理し、カメラ等により実装できる人流の方向別計測機能により得られた動的な人流情報をもとに候補の中から表示すべきコンテンツを選択してサイネージディスプレイに表示する技術が開示されている。
【先行技術文献】
【特許文献】
【０００４】
【特許文献１】特開２０１１−１４９９８７号公報
【発明の概要】
【発明が解決しようとする課題】
【０００５】
しかしながら、近年のモバイル端末の目覚しい普及を考えると、今や、ほとんどの人々が保有している携帯端末やモバイルＰＣ、タブレット端末等のモバイル端末を利用したデジタルサイネージシステムの方が、本来の目的を達成するために有用であると考えられるが、従来技術では、この点に言及したものが見当たらない。
【０００６】
そこで、本発明は、上述の課題に鑑みてなされたものであり、モバイル端末をコンテンツ再生端末として使用し、リアルタイムに適切なコンテンツを表示可能とするサイネージ再生システム、サイネージ再生方法およびプログラムを提供することを目的とする。
【課題を解決するための手段】
【０００７】
本発明は、上記の課題を解決するために、以下の事項を提案している。なお、理解を容易にするために、本発明の実施形態に対応する符号を付して説明するが、これに限定されるものではない。
【０００８】
（１）本発明は、サイネージ装置（例えば、図１のサイネージ装置１００に相当）とデータ管理装置（例えば、図１のデータ管理装置２００に相当）と前記サイネージ装置から配信されるコンテンツを再生するコンテンツ再生端末（例えば、図１のコンテンツ再生端末５００に相当）と外部状態取得装置（例えば、図１の既存データ記憶部３００および外部センサ４００に相当）とからなるサイネージ再生システムであって、前記サイネージ装置が、ユーザからの配信条件を入力する配信条件入力手段（例えば、図２の入力部１１０に相当）と、コンテンツデータを格納するコンテンツ記憶手段（例えば、図２のコンテンツデータ記憶部１２０に相当）と、前記コンテンツの再生スケジュールを記憶するスケジュールデータ記憶手段（例えば、図２のスケジュールデータ記憶部１３０に相当）と、前記スケジュールデータベースに記憶されたスケジュールにしたがってコンテンツを前記コンテンツ再生端末に送信するコンテンツ配信制御手段（例えば、図２のコンテンツ配信制御部１４０に相当）と、を備え、前記データ管理装置が、前記配信条件入力手段に入力された配信条件を受信する受信手段（例えば、図３の受信部２１０に相当）と、前記外部状態取得装置からの情報を格納する外部状態情報記憶手段（例えば、図３の外部状態情報記憶部２３０に相当）と、前記受信した配信条件と該格納された外部状態情報とが一致する場合に、コンテンツの配信許可情報を前記コンテンツ配信制御手段に通知する配信許可情報通知手段（例えば、図３の配信許可情報通知部２２０に相当）と、を備えたことを特徴とするサイネージ再生システムを提案している。
【０００９】
この発明によれば、サイネージ装置の配信条件入力手段は、ユーザからの配信条件を入力する。コンテンツ記憶手段は、コンテンツデータを格納する。スケジュールデータ記憶手段は、コンテンツの再生スケジュールを記憶する。コンテンツ配信制御手段は、スケジュールデータベースに記憶されたスケジュールにしたがってコンテンツをコンテンツ再生端末に送信する。データ管理装置の受信手段は、配信条件入力手段に入力された配信条件を受信する。外部状態情報記憶手段は、外部状態取得装置からの情報を格納する。配信許可情報通知手段は、受信した配信条件と格納された外部状態情報とが一致する場合に、コンテンツの配信許可情報をコンテンツ配信制御手段に通知する。したがって、リアルタイムに適切なコンテンツを表示することができる。
【００１０】
（２）本発明は、（１）のサイネージ再生システムについて、前記外部状態取得装置が、少なくとも、天気情報を取得することを特徴とするサイネージ再生システムを提案している。
【００１１】
この発明によれば、外部状態取得装置が、少なくとも、天気情報を取得する。したがって、天気情報も加味して、適切なコンテンツを配信し、表示することができる。また、天気情報である場合には、それに応じたコンテンツを配信・再生され店舗の売上につながるだけでなく、情報そのものが今度はエンドユーザ（コンテンツを見る人）にとって有益な情報であり、再生端末にその情報を表示させ、エンドユーザの利便性向上につながる。
【００１２】
（３）本発明は、（１）または(２)のサイネージ再生システムについて、前記外部状態取得装置が、照度センサ、人感センサ等のセンサであることを特徴とするサイネージ再生システムを提案している。
【００１３】
この発明によれば、外部状態取得装置が、照度センサ、人感センサ等のセンサである。したがって、外部の様々な状況を把握した上で、適切なコンテンツを配信し、表示することができる。また、任意のセンサ情報を利用できることにより、店舗オーナーとしては、一般的に利用できる公開情報（天気情報）だけでなく、売上により直結する状態・状況を把握することができる。結果として利益向上につながる。
【００１４】
（４）本発明は、（１）から(３)のサイネージ再生システムについて、前記コンテンツ再生端末が携帯端末であることを特徴とするサイネージ再生システムを提案している。
【００１５】
この発明によれば、コンテンツ再生端末が携帯端末である。したがって、どのような場所にいても、適切なコンテンツを配信し、表示することができる。つまり、再生端末自身が可搬であるために、エンドユーザとしてはその地域に基づいたコンテンツ（付近のランドマークに関わるコンテンツや、付近の店舗の特売情報など）を受信し、情報を得ることが可能になる。
【００１６】
（５）本発明は、サイネージ装置とデータ管理装置と前記サイネージ装置から配信されるコンテンツを再生するコンテンツ再生端末とからなるサイネージ再生システムであって、前記サイネージ装置が、ユーザからの配信条件を入力する配信条件入力手段と、コンテンツデータを格納するコンテンツ記憶手段と、前記コンテンツの再生スケジュールを記憶するスケジュールデータ記憶手段と、前記スケジュールデータベースに記憶されたスケジュールにしたがってコンテンツを前記コンテンツ再生端末に送信するコンテンツ配信制御手段と、を備え、前記コンテンツ再生端末が、撮像手段を備え、前記データ管理装置が、前記配信条件入力手段に入力された配信条件を受信する受信手段と、前記撮像手段からの画像データを格納する画像データ記憶手段と、前記受信した配信条件と該格納された画像データとが一致する場合に、コンテンツの配信許可情報を前記コンテンツ配信制御手段に通知する配信許可情報通知手段と、を備えたことを特徴とするサイネージ再生システムを提案している。
【００１７】
この発明によれば、サイネージ装置の配信条件入力手段は、ユーザからの配信条件を入力する。コンテンツ記憶手段は、コンテンツデータを格納する。スケジュールデータ記憶手段は、コンテンツの再生スケジュールを記憶する。コンテンツ配信制御手段は、スケジュールデータベースに記憶されたスケジュールにしたがってコンテンツをコンテンツ再生端末に送信する。データ管理装置の受信手段は、配信条件入力手段に入力された配信条件を受信する。画像データ記憶手段は、撮像手段からの画像データを格納する。配信許可情報通知手段は、受信した配信条件と格納された画像データとが一致する場合に、コンテンツの配信許可情報をコンテンツ配信制御手段に通知する。したがって、周辺の画像データから得られる情報を含めて、コンテンツを選別することから、リアルタイムに適切なコンテンツを表示することができる。
【００１８】
（６）本発明は、サイネージ装置とデータ管理装置と前記サイネージ装置から配信されるコンテンツを再生するコンテンツ再生端末と該コンテンツ再生端末の近傍に設置された撮像装置（例えば、図５の撮像装置６００に相当）とからなるサイネージ再生システムであって、前記サイネージ装置が、ユーザからの配信条件を入力する配信条件入力手段と、コンテンツデータを格納するコンテンツ記憶手段と、前記コンテンツの再生スケジュールを記憶するスケジュールデータ記憶手段と、前記スケジュールデータベースに記憶されたスケジュールにしたがってコンテンツを前記コンテンツ再生端末に送信するコンテンツ配信制御手段と、を備え、前記データ管理装置が、前記配信条件入力手段に入力された配信条件を受信する受信手段と、前記撮像装置からの画像データを格納する画像データ記憶手段（例えば、図６の画像データ記憶部２５０に相当）と、前記受信した配信条件と該格納された画像データとが一致する場合に、コンテンツの配信許可情報を前記コンテンツ配信制御手段に通知する配信許可情報通知手段（例えば、図６の配信許可情報通知部２７０に相当）と、を備えたことを特徴とするサイネージ再生システムを提案している。
【００１９】
この発明によれば、サイネージ装置の配信条件入力手段は、ユーザからの配信条件を入力する。コンテンツ記憶手段は、コンテンツデータを格納する。スケジュールデータ記憶手段は、コンテンツの再生スケジュールを記憶する。コンテンツ配信制御手段は、スケジュールデータベースに記憶されたスケジュールにしたがってコンテンツをコンテンツ再生端末に送信する。データ管理装置の受信手段は、配信条件入力手段に入力された配信条件を受信する。画像データ記憶手段は、コンテンツ再生端末の近傍に設置された撮像手段からの画像データを格納する。配信許可情報通知手段は、受信した配信条件と格納された画像データとが一致する場合に、コンテンツの配信許可情報をコンテンツ配信制御手段に通知する。したがって、周辺の画像データから得られる情報を含めて、コンテンツを選別することから、リアルタイムに適切なコンテンツを表示することができる。
【００２０】
（７）本発明は、（５）または(６)のサイネージ再生システムについて、前記データ管理装置が、前記画像データ内の人物の性別、年代等のプロファイルを検出する画像分析手段を備えたことを特徴とするサイネージ再生システムを提案している。
【００２１】
この発明によれば、データ管理装置の画像分析手段は、画像データ内の人物の性別、年代等のプロファイルを検出する。したがって、画像データ内の人物のプロファイルを加味して、適切なコンテンツを配信し、表示することができる。
【００２２】
（８）本発明は、(７)のサイネージ再生システムについて、前記画像分析手段が、さらに、ランドマークを検出することを特徴とするサイネージ再生システムを提案している。
【００２３】
この発明によれば、画像分析手段は、さらに、ランドマークを検出する。したがって、ランドマークを検出することにより、おおよその位置情報が把握できるため、こうした位置情報も加味して、適切なコンテンツを配信し、表示することができる。
【００２４】
（９）本発明は、サイネージ装置とデータ管理装置と前記サイネージ装置から配信されるコンテンツを再生するコンテンツ再生端末と外部状態取得装置と効果測定装置（例えば、図８の効果測定装置７００に相当）とからなるサイネージ再生システムであって、前記サイネージ装置が、ユーザからの配信条件を入力する配信条件入力手段と、コンテンツデータを格納するコンテンツ記憶手段と、前記コンテンツの再生スケジュールを記憶するスケジュールデータ記憶手段と、前記効果測定装置の測定結果に基づいて、最適なコンテンツを抽出するコンテンツ抽出手段（例えば、図９のコンテンツ抽出部１６０に相当）と、該抽出されたコンテンツを前記スケジュールデータベースに記憶されたスケジュールにしたがって前記コンテンツ再生端末に送信するコンテンツ配信制御手段（例えば、図９のコンテンツ配信制御部１５０に相当）と、を備え、前記データ管理装置が、前記配信条件入力手段に入力された配信条件を受信する受信手段と、前記外部状態取得装置からの情報を格納する外部状態情報記憶手段と、前記受信した配信条件と該格納された外部状態情報とが一致する場合に、コンテンツの配信許可情報を前記コンテンツ配信制御手段に通知する配信許可情報通知手段と、を備えたことを特徴とするサイネージ再生システムを提案している。
【００２５】
この発明によれば、サイネージ装置の配信条件入力手段は、ユーザからの配信条件を入力する。コンテンツ記憶手段は、コンテンツデータを格納する。スケジュールデータ記憶手段は、コンテンツの再生スケジュールを記憶する。コンテンツ抽出手段は、効果測定装置の測定結果に基づいて、最適なコンテンツを抽出する。コンテンツ配信制御手段は、抽出されたコンテンツをスケジュールデータベースに記憶されたスケジュールにしたがってコンテンツ再生端末に送信する。データ管理装置の受信手段は、配信条件入力手段に入力された配信条件を受信する。外部状態情報記憶手段は、外部状態取得装置からの情報を格納する。配信許可情報通知手段は、受信した配信条件と格納された外部状態情報とが一致する場合に、コンテンツの配信許可情報をコンテンツ配信制御手段に通知する。したがって、効果測定装置の測定結果に基づいて、いわゆる学習制御を行って、コンテンツを抽出することから、より適切なコンテンツの配信、表示が可能となる。
【００２６】
（１０）本発明は、(９)のサイネージ再生システムについて、前記効果測定装置が、ＰＯＳシステムの情報に基づいて、効果を測定することを特徴とするサイネージ再生システムを提案している。
【００２７】
この発明によれば、効果測定装置が、ＰＯＳシステムの情報に基づいて、効果を測定する。つまり、ＰＯＳの売上データと配信コンテンツとの関係を逐次分析することにより、学習効果を高め、より適切なコンテンツの配信、表示が可能となる。
【００２８】
（１１）本発明は、サイネージ装置とデータ管理装置と前記サイネージ装置から配信されるコンテンツを再生するコンテンツ再生端末と外部状態取得装置とからなるサイネージ再生システムにおけるサイネージ再生方法であって、前記サイネージ装置が、ユーザからの配信条件を入力する第１のステップ（例えば、図４のステップＳ１０１に相当）と、前記データ管理装置が、入力された配信条件を受信する第２のステップ（例えば、図４のステップＳ１０２に相当）と、前記データ管理装置が、前記受信した配信条件と外部状態情報とが一致する場合に、コンテンツの配信許可情報を前記サイネージ装置に通知する第３のステップ（例えば、図４のステップＳ１０３に相当）と、前記サイネージ装置が、記憶されたスケジュールにしたがってコンテンツを前記コンテンツ再生端末に送信する第４のステップ（例えば、図４のステップＳ１０４に相当）と、を備えたことを特徴とするサイネージ再生方法を提案している。
【００２９】
この発明によれば、サイネージ装置が、ユーザからの配信条件を入力し、データ管理装置が、入力された配信条件を受信する。そして、データ管理装置が、受信した配信条件と外部状態情報とが一致する場合に、コンテンツの配信許可情報をサイネージ装置に通知し、サイネージ装置が、記憶されたスケジュールにしたがってコンテンツをコンテンツ再生端末に送信する。したがって、リアルタイムに適切なコンテンツを表示することができる。
【００３０】
（１２）本発明は、サイネージ装置とデータ管理装置と前記サイネージ装置から配信されるコンテンツを再生するコンテンツ再生端末と該コンテンツ再生端末の近傍に設置された撮像装置とからなるサイネージ再生システムにおけるサイネージ再生方法であって、前記サイネージ装置が、ユーザからの配信条件を入力する第１のステップ（例えば、図７のステップＳ２０１に相当）と、前記データ管理装置が、前記入力された配信条件を受信する第２のステップ（例えば、図７のステップＳ２０２に相当）と、前記データ管理装置が、前記受信した配信条件と前記コンテンツ再生端末の近傍を撮影した画像データとが一致する場合に、コンテンツの配信許可情報を前記サイネージ装置に通知する第３のステップと（例えば、図７のステップＳ２０３に相当）、前記サイネージ装置が、記憶されたスケジュールにしたがってコンテンツを前記コンテンツ再生端末に送信する第４のステップ（例えば、図７のステップＳ２０４に相当）と、を備えたことを特徴とするサイネージ再生方法を提案している。
【００３１】
この発明によれば、サイネージ装置が、ユーザからの配信条件を入力し、データ管理装置が、入力された配信条件を受信する。そして、データ管理装置が、受信した配信条件とコンテンツ再生端末の近傍を撮影した画像データとが一致する場合に、コンテンツの配信許可情報をサイネージ装置に通知し、サイネージ装置が、記憶されたスケジュールにしたがってコンテンツをコンテンツ再生端末に送信する。したがって、周辺の画像データから得られる情報を含めて、コンテンツを選別することから、リアルタイムに適切なコンテンツを表示することができる。
【００３２】
（１３）本発明は、サイネージ装置とデータ管理装置と前記サイネージ装置から配信されるコンテンツを再生するコンテンツ再生端末と外部状態取得装置と効果測定装置とからなるサイネージ再生システムにおけるサイネージ再生方法であって、前記サイネージ装置が、ユーザからの配信条件を入力する第１のステップ（例えば、図１０のステップＳ３０１に相当）と、前記データ管理装置が、入力された配信条件を受信する第２のステップ（例えば、図１０のステップＳ３０２に相当）と、前記サイネージ装置が、前記効果測定装置の測定結果に基づいて、最適なコンテンツを抽出する第３のステップ（例えば、図１０のステップＳ３０３に相当）と、前記データ管理装置が、前記受信した配信条件と外部状態情報とが一致する場合に、コンテンツの配信許可情報を前記サイネージ装置に通知する第４のステップ（例えば、図１０のステップＳ３０４に相当）と、前記サイネージ装置が、記憶されたスケジュールにしたがってコンテンツを前記コンテンツ再生端末に送信する第５のステップ（例えば、図１０のステップＳ３０５に相当）と、を備えたことを特徴とするサイネージ再生方法を提案している。
【００３３】
この発明によれば、サイネージ装置が、ユーザからの配信条件を入力し、データ管理装置が、入力された配信条件を受信する。そして、サイネージ装置が、効果測定装置の測定結果に基づいて、最適なコンテンツを抽出し、データ管理装置が、受信した配信条件と外部状態情報とが一致する場合に、コンテンツの配信許可情報をサイネージ装置に通知してサイネージ装置が、記憶されたスケジュールにしたがってコンテンツをコンテンツ再生端末に送信する。したがって、効果測定装置の測定結果に基づいて、いわゆる学習制御を行って、コンテンツを抽出することから、より適切なコンテンツの配信、表示が可能となる。
【００３４】
（１４）本発明は、サイネージ装置とデータ管理装置と前記サイネージ装置から配信されるコンテンツを再生するコンテンツ再生端末と外部状態取得装置とからなるサイネージ再生システムにおけるサイネージ再生方法をコンピュータに実行させるためのプログラムであって、前記サイネージ装置が、ユーザからの配信条件を入力する第１のステップ（例えば、図４のステップＳ１０１に相当）と、前記データ管理装置が、入力された配信条件を受信する第２のステップ（例えば、図４のステップＳ１０２に相当）と、前記データ管理装置が、前記受信した配信条件と外部状態情報とが一致する場合に、コンテンツの配信許可情報を前記サイネージ装置に通知する第３のステップ（例えば、図４のステップＳ１０３に相当）と、前記サイネージ装置が、記憶されたスケジュールにしたがってコンテンツを前記コンテンツ再生端末に送信する第４のステップ（例えば、図４のステップＳ１０４に相当）と、をコンピュータに実行させるためのプログラムを提案している。
【００３５】
この発明によれば、サイネージ装置が、ユーザからの配信条件を入力し、データ管理装置が、入力された配信条件を受信する。そして、データ管理装置が、受信した配信条件と外部状態情報とが一致する場合に、コンテンツの配信許可情報をサイネージ装置に通知し、サイネージ装置が、記憶されたスケジュールにしたがってコンテンツをコンテンツ再生端末に送信する。したがって、リアルタイムに適切なコンテンツを表示することができる。
【００３６】
（１５）本発明は、サイネージ装置とデータ管理装置と前記サイネージ装置から配信されるコンテンツを再生するコンテンツ再生端末と該コンテンツ再生端末の近傍に設置された撮像装置とからなるサイネージ再生システムにおけるサイネージ再生方法をコンピュータに実行させるためのプログラムであって、前記サイネージ装置が、ユーザからの配信条件を入力する第１のステップ（例えば、図７のステップＳ２０１に相当）と、前記データ管理装置が、前記入力された配信条件を受信する第２のステップ（例えば、図７のステップＳ２０２に相当）と、前記データ管理装置が、前記受信した配信条件と前記コンテンツ再生端末の近傍を撮影した画像データとが一致する場合に、コンテンツの配信許可情報を前記サイネージ装置に通知する第３のステップと（例えば、図７のステップＳ２０３に相当）、前記サイネージ装置が、記憶されたスケジュールにしたがってコンテンツを前記コンテンツ再生端末に送信する第４のステップ（例えば、図７のステップＳ２０４に相当）と、をコンピュータに実行させるためのプログラムを提案している。
【００３７】
この発明によれば、サイネージ装置が、ユーザからの配信条件を入力し、データ管理装置が、入力された配信条件を受信する。そして、データ管理装置が、受信した配信条件とコンテンツ再生端末の近傍を撮影した画像データとが一致する場合に、コンテンツの配信許可情報をサイネージ装置に通知し、サイネージ装置が、記憶されたスケジュールにしたがってコンテンツをコンテンツ再生端末に送信する。したがって、周辺の画像データから得られる情報を含めて、コンテンツを選別することから、リアルタイムに適切なコンテンツを表示することができる。
【００３８】
（１６）本発明は、サイネージ装置とデータ管理装置と前記サイネージ装置から配信されるコンテンツを再生するコンテンツ再生端末と外部状態取得装置と効果測定装置とからなるサイネージ再生システムにおけるサイネージ再生方法をコンピュータに実行させるためのプログラムであって、前記サイネージ装置が、ユーザからの配信条件を入力する第１のステップ（例えば、図１０のステップＳ３０１に相当）と、前記データ管理装置が、入力された配信条件を受信する第２のステップ（例えば、図１０のステップＳ３０２に相当）と、前記サイネージ装置が、前記効果測定装置の測定結果に基づいて、最適なコンテンツを抽出する第３のステップ（例えば、図１０のステップＳ３０３に相当）と、前記データ管理装置が、前記受信した配信条件と外部状態情報とが一致する場合に、コンテンツの配信許可情報を前記サイネージ装置に通知する第４のステップ（例えば、図１０のステップＳ３０４に相当）と、前記サイネージ装置が、記憶されたスケジュールにしたがってコンテンツを前記コンテンツ再生端末に送信する第５のステップ（例えば、図１０のステップＳ３０５に相当）と、をコンピュータに実行させるためのプログラムを提案している。
【００３９】
この発明によれば、サイネージ装置が、ユーザからの配信条件を入力し、データ管理装置が、入力された配信条件を受信する。そして、サイネージ装置が、効果測定装置の測定結果に基づいて、最適なコンテンツを抽出し、データ管理装置が、受信した配信条件と外部状態情報とが一致する場合に、コンテンツの配信許可情報をサイネージ装置に通知してサイネージ装置が、記憶されたスケジュールにしたがってコンテンツをコンテンツ再生端末に送信する。したがって、効果測定装置の測定結果に基づいて、いわゆる学習制御を行って、コンテンツを抽出することから、より適切なコンテンツの配信、表示が可能となる。
【発明の効果】
【００４０】
本発明によれば、リアルタイムに適切なコンテンツを表示することにより、リーセンシー効果を高めることができるという効果がある。また、リーセンシー効果を高めることにより、売上を向上させることができるという効果がある。
【図面の簡単な説明】
【００４１】
【図１】本発明の第１の実施形態に係るサイネージ再生システムの構成を示す図である。
【図２】本発明の第１の実施形態に係るサイネージ再生装置の構成を示す図である。
【図３】本発明の第１の実施形態に係るデータ管理装置の構成を示す図である。
【図４】本発明の第１の実施形態に係るサイネージ再生システムの処理を示す図である。
【図５】本発明の第２の実施形態に係るサイネージ再生システムの構成を示す図である。
【図６】本発明の第２の実施形態に係るデータ管理装置の構成を示す図である。
【図７】本発明の第２の実施形態に係るサイネージ再生システムの処理を示す図である。
【図８】本発明の第３の実施形態に係るサイネージ再生システムの構成を示す図である。
【図９】本発明の第３の実施形態に係るサイネージ再生装置の構成を示す図である。
【図１０】本発明の第３の実施形態に係るサイネージ再生システムの処理を示す図である。
【発明を実施するための形態】
【００４２】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００４３】
＜第１の実施形態＞
図１から図４を用いて、本発明に係るサイネージ再生システムの第１の実施形態について説明する。
【００４４】
＜サイネージ再生システムの構成＞
図１を用いて、本実施形態に係るサイネージ再生システムの構成について説明する。
【００４５】
図１に示すように、本実施形態に係るサイネージ再生システムは、サイネージ装置１００と、データ管理装置２００と、既存データ記憶部３００と、外部センサ４００と、コンテンツ再生端末５００とから構成されている。
【００４６】
サイネージ装置１００は、コンテンツ再生端末５００に対して、指定されたコンテンツをスケジュール通りに配信する装置であり、後述する入力部１１０を介して、コンテンツファイルをアップロードしたり、配信スケジュールを決定したりすることもできる。
【００４７】
データ管理装置２００は、外部から取得する情報により、保有するデータベースから必要なデータ情報を抜き取り、サイネージ装置１００に通知を行う。既存データ記憶部３００は、例えば、公開されている天候情報等を記憶する。
【００４８】
外部センサ４００は、照度センサ、人感センサなどの個別に設置したセンサであり、特に、外部の情報を取得する。コンテンツ再生端末５００は、ディスプレイによる表示機能を設け、配信されたコンテンツを再生する端末であり、例えば、大型ディスプレイとＰＣの組合せでもよいが、携帯端末、スマートフォンあるいはタブレット端末等のモバイル端末が好ましい。
【００４９】
＜サイネージ装置の構成＞
図２を用いて、本実施形態に係るサイネージ装置の構成について説明する。
【００５０】
図２に示すように、本実施形態に係るサイネージ装置は、入力部１１０と、コンテンツデータ記憶部１２０と、スケジュールデータ記憶部１３０と、コンテンツ配信制御部１４０とから構成されている。
【００５１】
入力部１１０は、ユーザからの配信条件を入力する。コンテンツデータ記憶部１２０は、コンテンツ再生端末５００で再生した動画、音楽、静止画などのコンテンツを格納する。スケジュールデータ記憶部１３０は、コンテンツデータとして登録したファイルをどのくらいの期間で、いつ再生するといった配信・再生スケジュールに関するデータを格納する。
【００５２】
コンテンツ配信制御部１４０は、事前に登録されたコンテンツデータを、スケジュールデータに則って、コンテンツ再生端末へとコンテンツを配信する。なお、本実施形態では、これに加え、後述する配信許可情報通知部からの情報を受信し、配信するコンテンツを変更する機能を有している。つまり、事前に登録されたコンテンツデータでは、ユーザの入力した配信条件あるいは、サイネージ装置１００が取得した外部情報に合致しない場合には、これらの条件を満足するコンテンツを選択する。
【００５３】
＜データ管理装置の構成＞
図３を用いて、本実施形態に係るデータ管理装置の構成について説明する。
【００５４】
図３に示すように、本実施形態に係るデータ管理装置は、受信部２１０と、配信許可情報通知部２２０と、外部状態情報記憶部２３０とから構成されている。
【００５５】
受信部２１０は、サイネージ装置１００からユーザが入力した配信条件を受信し、配信許可情報通知部２２０に出力する。配信許可情報通知部２２０は、受信した配信条件と外部状態情報記憶部２３０に格納された外部状態情報とが一致する場合に、コンテンツの配信許可情報をサイネージ装置１００に通知する。なお、受信した配信条件と外部状態情報記憶部２３０に格納された外部状態情報とが一致しない場合には、コンテンツの変更を指示する情報を通知する。外部状態情報記憶部２３０は、既存データ記憶部３００および外部センサ４００から取得した情報を格納する。
【００５６】
＜サイネージ再生システムの処理＞
図４を用いて、本実施形態に係るサイネージ再生システムの処理について説明する。
【００５７】
まず、サイネージ装置１００が、ユーザからの配信条件を入力し（ステップＳ１０１）、データ管理装置２００が、入力された配信条件を受信する（ステップＳ１０２）。そして、データ管理装置２００が、受信した配信条件と外部状態情報とが一致する場合に、コンテンツの配信許可情報をサイネージ装置１００に通知し（ステップＳ１０３）、サイネージ装置１００が、記憶されたスケジュールにしたがってコンテンツをコンテンツ再生端末５００に送信する（ステップＳ１０４）。
【００５８】
以上、説明したように、本実施形態によれば、ユーザから入力される配信条件と既存データ記憶部３００および外部センサ４００から取得した情報に基づいて、配信するコンテンツを決定し、これをコンテンツ再生端末５００で再生することから、リアルタイムに適切なコンテンツを表示させることができる。
【００５９】
＜第２の実施形態＞
図５から図７を用いて、本発明に係るサイネージ再生システムの第２の実施形態について説明する。
【００６０】
＜サイネージ再生システムの構成＞
図５を用いて、本実施形態に係るサイネージ再生システムの構成について説明する。
【００６１】
図５に示すように、本実施形態に係るサイネージ再生システムは、サイネージ装置１００と、データ管理装置２００と、コンテンツ再生端末５００と、撮像装置６００とから構成されている。なお、第１の実施形態と同一の符号を付す構成要素については、同様の機能を有することから、その詳細な説明は、省略する。
【００６２】
撮像装置６００は、コンテンツ再生端末５００の近傍に設置され、コンテンツ再生端末５００の近傍の画像を撮影する。なお、本実施形態では、撮像装置６００を別体として設けたが、コンテンツ再生端末５００に撮像機能を持たせてもよい。
【００６３】
＜データ管理装置の構成＞
図６を用いて、本実施形態に係るデータ管理装置の構成について説明する。
【００６４】
図６に示すように、本実施形態に係るデータ管理装置は、受信部２１０と、配信許可情報通知部２７０と、画像データ記憶部２５０と、画像判定部２６０とから構成されている。なお、第１の実施形態と同一の符号を付す構成要素については、同様の機能を有することから、その詳細な説明は、省略する。
【００６５】
画像データ記憶部２５０は、撮像装置６００が撮影した画像データを格納する。画像判定部２６０は、画像データ記憶部２５０に記憶された画像データから、例えば、人物の性別、年代等のプロファイルやランドマークを検出する。なお、画像判定の方法としては、顔の骨格やたるみ、しわなどを解析して、性別・年齢の判断を行う。例えば、子供と判定する場合は、大人の顔と比べて目が大きく位置が高い、目と眉の間隔が広い、鼻や口が小さい、顔の輪郭が丸く顎が小さいなどの特徴を捉えて、判断する。また、性別については、例えば、髪型や顔画像の発色等に基づいて、判断する。配信許可情報通知部２７０は、受信した配信条件と格納された画像データとが一致する場合に、コンテンツの配信許可情報をサイネージ装置に通知する。
【００６６】
＜サイネージ再生システムの処理＞
図７を用いて、本実施形態に係るサイネージ再生システムの処理について説明する。
【００６７】
まず、サイネージ装置１００が、ユーザからの配信条件を入力し（ステップＳ２０１）、データ管理装置２００が、入力された配信条件を受信する（ステップＳ２０２）。そして、データ管理装置２００が、受信した配信条件と格納された画像データとが一致する場合に、コンテンツの配信許可情報をサイネージ装置１００に通知し（ステップＳ２０３）、サイネージ装置１００が、記憶されたスケジュールにしたがってコンテンツをコンテンツ再生端末５００に送信する（ステップＳ２０４）。
【００６８】
以上、説明したように、本実施形態によれば、ユーザから入力される配信条件とコンテンツ再生端末の近傍に設けられた撮像装置が撮影した画像データに基づいて、配信するコンテンツを決定し、これをコンテンツ再生端末５００で再生することから、リアルタイムに適切なコンテンツを表示させることができる。
【００６９】
＜第３の実施形態＞
図８から図１０を用いて、本発明に係るサイネージ再生システムの第３の実施形態について説明する。
【００７０】
＜サイネージ再生システムの構成＞
図８を用いて、本実施形態に係るサイネージ再生システムの構成について説明する。
【００７１】
図８に示すように、本実施形態に係るサイネージ再生システムは、サイネージ装置１００と、データ管理装置２００と、既存データ記憶部３００と、外部センサ４００と、コンテンツ再生端末５００と、効果測定装置７００とから構成されている。なお、第１の実施形態と同一の符号を付す構成要素については、同様の機能を有することから、その詳細な説明は、省略する。
【００７２】
効果測定装置７００は、コンテンツの配信条件等と配信したコンテンツに基づいて、リーセンシー効果を測定するものであり、これにより、ユーザから指定された配信条件や外部センサ等から取得した外部状況に対して、どのコンテンツが有効であったかを学習して、その学習結果に基づいて、最適なコンテンツを選定するための指針を提供する。なお、具体的には、ＰＯＳ等の情報に基づいて、リーセンシー効果を測定する等の方法が考えられる。
【００７３】
＜サイネージ装置の構成＞
図９を用いて、本実施形態に係るサイネージ装置の構成について説明する。
【００７４】
図９に示すように、本実施形態に係るサイネージ装置は、入力部１１０と、コンテンツデータ記憶部１２０と、スケジュールデータ記憶部１３０と、コンテンツ配信制御部１５０と、コンテンツ抽出部１６０とから構成されている。なお、第１の実施形態と同一の符号を付す構成要素については、同様の機能を有することから、その詳細な説明は、省略する。
【００７５】
コンテンツ抽出部１６０は、前述した効果測定装置７００からの最適なコンテンツを選定するための指針に基づいて、コンテンツ配信制御部１４０にコンテンツ抽出のための情報を提示する。コンテンツ配信制御部１５０は、コンテンツ抽出部１６０において抽出されたコンテンツをスケジュールデータ記憶部１３０に記憶されたスケジュールにしたがってコンテンツ再生端末５００に送信する。
【００７６】
＜サイネージ再生システムの処理＞
図１０を用いて、本実施形態に係るサイネージ再生システムの処理について説明する。
【００７７】
まず、サイネージ装置１００が、ユーザからの配信条件を入力し（ステップＳ３０１）、データ管理装置２００が、入力された配信条件を受信する（ステップＳ３０２）。そして、サイネージ装置が、前記効果測定装置の測定結果に基づいて、最適なコンテンツを抽出し（ステップＳ３０３）、データ管理装置が、受信した配信条件と外部状態情報とが一致する場合に、コンテンツの配信許可情報をサイネージ装置１００に通知して（ステップＳ３０４）、サイネージ装置１００が、記憶されたスケジュールにしたがってコンテンツをコンテンツ再生端末５００に送信する（ステップＳ３０５）。
【００７８】
以上、説明したように、本実施形態によれば、ユーザから入力される配信条件と既存データ記憶部３００および外部センサ４００から取得した情報とともに、効果測定装置７００を用いた学習制御によって、配信するコンテンツを決定し、これをコンテンツ再生端末５００で再生することから、リアルタイムにより適切なコンテンツを表示させることができる。
【００７９】
なお、サイネージ再生システムの処理をコンピュータ読み取り可能な記録媒体に記録し、この記録媒体に記録されたプログラムをサイネージ装置１００、データ管理装置２００等に読み込ませ、実行することによって本発明のサイネージ再生システムを実現することができる。ここでいうコンピュータシステムとは、ＯＳや周辺装置等のハードウェアを含む。
【００８０】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００８１】
また、上記プログラムは、前述した機能の一部を実現するためのものであってもよい。さらに、前述した機能をコンピュータシステムにすでに記録されているプログラムとの組合せで実現できるもの、いわゆる差分ファイル（差分プログラム）であってもよい。
【００８２】
以上、この発明の実施形態につき、図面を参照して詳述してきたが、具体的な構成はこの実施形態に限られるものではなく、この発明の要旨を逸脱しない範囲の設計等も含まれる。
【符号の説明】
【００８３】
１００；サイネージ装置
１１０；入力部
１２０；コンテンツデータ記憶部
１３０；スケジュールデータ記憶部
１４０；コンテンツ配信制御部
１５０；コンテンツ抽出部
２００；データ管理装置
２１０；受信部
２２０；配信許可情報通知部
２３０；外部状態情報記憶部
２５０；画像データ記憶部
２６０；画像判定部
２７０；配信許可情報通知部
３００；既存データ記憶部
４００；外部センサ
５００；コンテンツ再生端末
６００；撮像装置
７００；効果測定装置
【図１】
2013186791.tif 000003
【図２】
2013186791.tif 000004
【図３】
2013186791.tif 000005
【図４】
2013186791.tif 000006
【図５】
2013186791.tif 000007
【図６】
2013186791.tif 000008
【図７】
2013186791.tif 000009
【図８】
2013186791.tif 000010
【図９】
2013186791.tif 000011
【図１０】
2013186791.tif 000012